(57)【要約】【課題】形状がシンプルで、かつ、果実を、損傷させることなく箱詰め・搬送することが可能な果実収容容器を提供する。【解決手段】果実収容容器１は、矩形状の容器本体２と、容器本体２の主面上に設けられた、果実を載置するための果実載置部３と、を備えている。果実載置部３は、容器本体２側の面が開口した、天壁３ａと周壁３ｂとを有する内部が空洞の凸部からなっている。そして、凸部の少なくとも天壁３ａは、果実が載置されることで、当該果実の表面形状に追随して変形するように構成されている。【選択図】図１
2014213886.tif 000002
【特許請求の範囲】
【請求項１】
平板状の容器本体と、
前記容器本体の主面上に設けられた、果実を載置するための果実載置部と、を備え、
前記果実載置部は、天壁と周壁とを有する内部が空洞の凸部からなり、
前記凸部の少なくとも前記天壁は、当該凸部に前記果実が載置されることで、当該果実の表面形状に追随して変形する、果実収容容器。
【請求項２】
前記天壁は、前記周壁よりも薄く形成されている、請求項１に記載の果実収容容器。
【発明の詳細な説明】
【技術分野】
【０００１】
本発明は、果実を箱詰め・搬送するために用いられる果実収容容器に関する。さらに詳細には、本発明は、表面が損傷し易いイチゴ等の果実を、損傷させることなく箱詰め・搬送することが可能な果実収容容器に関する。
【背景技術】
【０００２】
イチゴ等の表面は比較的損傷し易いため、イチゴ等を安全に箱詰め・搬送することができる果実収容容器の開発が切望されていた。
【０００３】
そこで、従来、かかる要望に応えるべく、以下のような構成の果実収容容器が提案されている（例えば、特許文献１、２参照）。
【０００４】
特許文献１に開示された果実収容容器（イチゴ用容器）は、イチゴの果托が進入可能な窪み部を容器本体の底部に複数個設けた容器に蓋体を設け、前記蓋体の天井面から、これらの窪み部中、相隣り合う４つの窪み部に囲まれる箇所に向けて先細りの柱を垂下すると共に、前記蓋体の周側壁面にはこれらの窪み部の外周に沿って複数個の張り出し突起を内側に向けて設けた構成となっている（以上、特許文献１の図１、図３、図４等参照）。
【０００５】
特許文献２に開示された果実収容容器（果実収容トレー）は、方形底板及び縦横側板からなる方形トレーの内部に、前記側板と同一高さの上向突起を縦横に等間隔で設け、前記トレーの上面に熱可塑性合成樹脂薄シートを平坦に貼着して当該シートを前記トレーの上面に平坦面に張着し、縦横隣接上向突起の中央部に果実収容凹部を塑性変形によって成形し、当該凹部と前記底板との間に空間を介在させ、かつ、これらの凹部の上縁外側面と前記上向突起の外周面とが前記シートの共通の平坦面を保持してなるように構成されている（以上、特許文献１の図１〜図４等参照）。
【先行技術文献】
【特許文献】
【０００６】
【特許文献１】特開平８−１３３３６９号公報
【特許文献２】特許第４６８９６８８号公報
【発明の概要】
【発明が解決しようとする課題】
【０００７】
しかし、特許文献１で提案されている果実収容容器（イチゴ用容器）では、イチゴ同士の荷重のかかり合いによる損傷を防止することはできるが、個々のイチゴは容器と点、線で接触することとなるため、長時間の搬送や強い衝撃時に損傷を受ける虞がある。また、特許文献１で提案されている果実収容容器（イチゴ用容器）は、その形状が複雑であるため、製造コストが高くなるという問題点も有している。
【０００８】
また、特許文献２で提案されている果実収容容器（果実収容トレー）は、果実の表面を損傷させることなく搬送することが可能であるが、特許文献１で提案されている果実収容容器（イチゴ用容器）と同様に形状が複雑であるため、製造コストが高くなるという問題点を有している。
【０００９】
本発明は、従来技術における前記課題を解決するためになされたものであり、形状がシンプルで、かつ、果実を、損傷させることなく箱詰め・搬送することが可能な果実収容容器を提供することを目的とする。
【課題を解決するための手段】
【００１０】
前記目的を達成するため、本発明に係る果実収容容器の構成は、
（１）平板状の容器本体と、前記容器本体の主面上に設けられた、果実を載置するための果実載置部と、を備え、前記果実載置部は、天壁と周壁とを有する内部が空洞の凸部からなり、前記凸部の少なくとも前記天壁は、当該凸部に前記果実が載置されることで、当該果実の表面形状に追随して変形する。
【００１１】
本発明の果実収容容器の（１）の構成によれば、果実を、内部が空洞の凸部からなる果実載置部の天壁上に載置する。このとき、果実の自重や果実を凸部に押しつけることで、少なくとも天壁が果実の表面形状に追随して変形し、当該果実がその表面で天壁と面接触する状態となる。即ち、本発明の果実収容容器は、それぞれ表面の形状が異なる果実を、果実に応じた形状に応じた形状の面で支持することができる。従って、上記のようなシンプルな形状の果実収容容器を用いて、表面が損傷し易いイチゴ等の果実を、損傷させることなく箱詰め・搬送することが可能となる。尚、箱詰め・搬送時の果実は、その大きさや形状が様々であるが、本発明の果実収容容器を用いることにより、その全ての果実の損傷を防止することが可能となる。
【００１２】
前記本発明の果実収容容器の（１）の構成においては、以下の（２）〜（４）のような構成にすることが好ましい。
【００１３】
（２）前記容器本体は矩形状に形成され、当該矩形状の容器本体上に複数の前記果実載置部がマトリックス状に配置されている。
【００１４】
（３）前記天壁は、前記周壁よりも薄く形成されている。
【００１５】
上記（３）の好ましい構成によれば、果実の重量により天壁を撓ませてハンモック状態にすることができるので、果実の搬送時における衝撃を吸収することができる。従って、上記（３）の好ましい構成によれば、果実の搬送時に当該果実が損傷を受けることを、より確実に防止することが可能となる。
【００１６】
（４）上記（３）の構成において、前記周壁は、前記容器本体に近づくにつれて徐々に厚みが厚くなっている。
【００１７】
上記（４）の好ましい構成によれば、果実の重量と釣り合う適当な個所で周壁を撓ませることが可能となる。従って、上記（４）の好ましい構成によれば、大きさ及び重量の異なる複数の果実を、同じ果実収容容器に収容して搬送することが可能となる。
【発明の効果】
【００１８】
本発明によれば、形状がシンプルで、かつ、果実を、損傷させることなく箱詰め・搬送することが可能な果実収容容器を提供することができる。
【図面の簡単な説明】
【００１９】
【図１】本発明の一実施の形態における果実収容容器の構成を示す斜視図である。
【図２】図１のII―II線断面図である。
【図３】本発明の一実施の形態における果実収容容器に果実（イチゴ）を収容した状態を示す斜視図である。
【図４】図３のIV―IV線断面図である。
【図５】果実（イチゴ）を収容した本発明の一実施の形態における果実収容容器を別途用意された包装箱に収納している状態を示す斜視図である。
【発明を実施するための形態】
【００２０】
以下、好適な実施の形態を用いて本発明をさらに具体的に説明する。但し、下記の実施の形態は本発明を具現化した例に過ぎず、本発明はこれに限定されるものではない。
【００２１】
［果実収容容器の構成］
まず、本発明の一実施の形態における果実収容容器の構成について、図１、図２を参照しながら説明する。
【００２２】
図１は、本発明の一実施の形態における果実収容容器の構成を示す斜視図、図２は、図１のII―II線断面図である。
【００２３】
図１に示すように、本実施の形態の果実収容容器１は、矩形状の容器本体２と、容器本体２の主面上に設けられた、果実を載置するための果実載置部３と、を備えている。ここで、果実載置部３は１５個設けられており、これら１５個の果実載置部３は、５×３のマトリックス状に配置されている。なお、果実載置部３は、５×３のマトリックス状に限らず、１×２、４×２等マトリックス状の他、１つだけ設けてもよい。また、本実施形態の説明では、イチゴを果実の一例として説明するが、果実収容容器１は、イチゴに限らず、表面が損傷し易い、任意の果実に適用することができる。
【００２４】
図１、図２に示すように、果実載置部３は、容器本体２側の面が開口した、天壁３ａと周壁３ｂとを有する内部が空洞の凸部からなっている。そして、本実施の形態の果実収容容器１は、凸部の少なくとも天壁３ａが、果実の重量により当該果実の表面形状に追随して変形するように構成されている。
【００２５】
本実施の形態の果実収容容器１によれば、果実を、内部が空洞の凸部からなる果実載置部３の天壁３ａ上に載置するだけで、少なくとも天壁３ａを変形させて、当該果実がその表面で天壁３ａと面接触する状態に持っていくことができる（図３、図４を参照）。従って、上記のようなシンプルな形状の果実収容容器１を用いて、表面が損傷し易いイチゴ等の果実を、損傷させることなく箱詰め・搬送することが可能となる。尚、箱詰め・搬送時の果実は、その大きさや形状が様々であるが、本実施の形態の果実収容容器１を用いることにより、その全ての果実の損傷を防止することが可能となる。
【００２６】
果実収容容器１の材料としては、軟質合成樹脂発泡体が好ましく、中でも、公知の方法で製造することが可能な発泡ポリエチレン樹脂がより好ましい。
【００２７】
天壁３ａは、周壁３ｂよりも薄く形成されている。このように、天壁３ａが周壁３ｂよりも薄く形成されていれば、果実の重量により天壁３ａを撓ませてハンモック状態にすることができるので、果実の搬送時における衝撃を吸収することができる。従って、この構成によれば、果実の搬送時に当該果実が損傷を受けることを、より確実に防止することが可能となる。
【００２８】
図１に示すように、本実施の形態において、果実載置部３は、イチゴの形状を模した形状に形成されている。収容する果実が重量１５〜７０ｇの範囲のイチゴの場合、天壁３ａの容器本体２の主面からの高さは３０〜５５ｍｍ、天壁３ａの長さは３５〜６５ｍｍ、天壁３ａの幅は３０〜６０ｍｍである。また、天壁３ａの厚みは、２ｍｍ以下０．８ｍｍ以上である。また、周壁３ｂと容器本体２の厚みは、５ｍｍ以下１ｍｍ以上である。なお、上記果実載置部３の各寸法は、一例であり、果実載置部３の材料、外形の大きさ、果実の大きさ等に応じて、任意の寸法とすることができる。
【００２９】
周壁３ｂは、容器本体２に近づくにつれて徐々に厚みが厚くなっている。この構成によれば、果実の重量と釣り合う適当な個所で周壁３ｂを撓ませることが可能となる。従って、この構成によれば、大きさ及び重量の異なる複数の果実を、同じ果実収容容器１に収容して搬送することが可能となる。
【００３０】
［果実収容容器の使用方法］
次に、本発明の一実施の形態における果実収容容器の使用方法について、果実がイチゴである場合を例に挙げて、図３〜図５をも参照しながら説明する。
【００３１】
図３は、本発明の一実施の形態における果実収容容器に果実（イチゴ）を収容した状態を示す斜視図、図４は、図３のIV―IV線断面図、図５は、果実（イチゴ）を収容した本発明の一実施の形態における果実収容容器を別途用意された包装箱に収納している状態を示す斜視図である。
【００３２】
まず、図３に示すように、果実収容容器１の各果実載置部３の天壁３ａ上に、イチゴ４をそれぞれ載置する。これにより、果実載置部３の天壁３ａが、イチゴ４の重量により当該イチゴ４の表面形状に追随して変形する。このため、それぞれのイチゴ４がその表面で天壁３ａと面接触した状態となる。従って、イチゴ４の箱詰め時や搬送時に当該イチゴ４が損傷を受けることを防止することができる。また、この場合、イチゴ４の重量により天壁３ａが撓んでハンモック状態となる。そして、これにより、イチゴ４の搬送時における衝撃を吸収することができるので、イチゴ４の搬送時に当該イチゴ４が損傷を受けることを、より確実に防止することが可能となる。
【００３３】
次に、図５に示すように、イチゴ４を収容した果実収容容器１を、別途用意された両端が開口した四角筒状の包装箱５に収納する。このように、イチゴ４を収容した果実収容容器１を包装箱５に収納すれば、複数段積み重ねても、下段のイチゴ４が押し潰される虞はない。包装箱５に収納された果実収容容器１は、数箱まとめて段ボール箱等に入れて搬送される。
【００３４】
尚、上記実施の形態においては、矩形状の容器本体２を備えている場合を例に挙げて説明したが、必ずしもこのような構成に限定されるものではない。容器本体は、平板状であれば、例えば、円形状、楕円形状、多角形状等に形成されていてもよい。
【００３５】
また、上記実施の形態においては、１５個の果実載置部３を備えている場合を例に挙げて説明したが、必ずしもこのような構成に限定されるものではない。果実載置部は、例えば、１個であってもよく、２〜５個であってもよい。
【００３６】
また、上記実施の形態においては、果実載置部３がイチゴの形状を模した形状に形成されている場合を例に挙げて説明したが、必ずしもこのような構成に限定されるものではない。
【００３７】
また、上記実施の形態においては、天壁３ａが周壁３ｂよりも薄く形成されている場合を例に挙げて説明したが、必ずしもこのような構成に限定されるものではない。果実収容容器は、凸部の少なくとも天壁が、果実の重量により当該果実の表面形状に追随して変形するように構成されていれば、所期の目的を達成することができる。
【００３８】
また、上記実施の形態においては、周壁３ｂの厚みが容器本体２に近づくにつれて徐々に厚くなっている場合を例に挙げて説明したが、必ずしもこのような構成に限定されるものではない。周壁の厚みは、全体にわたって均一であってもよい。
【００３９】
また、上記実施の形態においては、蓋が無いタイプの果実収容容器１を例に挙げて説明したが、必ずしもこのような構成に限定されるものではない。容器本体にヒンジ部を介して一体的に設けられる蓋体等を備えていてもよい。このように、蓋体を備えていれば、包装箱５に収納せずにそのまま段ボール箱等に入れて搬送することができる。
【産業上の利用可能性】
【００４０】
本発明によれば、形状がシンプルで、かつ、果実を、損傷させることなく箱詰め・搬送することが可能な果実収容容器を提供することができる。従って、本発明の果実収容容器は、表面が損傷し易いイチゴ等の果実を箱詰め・搬送するための容器として有用である。
【符号の説明】
【００４１】
１  果実収容容器
２  容器本体
３  果実載置部
３ａ  天壁
３ｂ  周壁
４  イチゴ（果実）
５  包装箱
【図１】
2014213886.tif 000003
【図２】
2014213886.tif 000004
【図３】
2014213886.tif 000005
【図４】
2014213886.tif 000006
【図５】
2014213886.tif 000007